(57)【要約】【課題】  家庭用の電気洗濯乾燥機など洗濯後の衣類乾燥に温風が主流で、消費電力量が天日干に比べ、乾燥機であって時間が掛かる等が言われている課題がある。【解決手段】  温風が衣類乾燥に水の分解熱が間接的である構成に、洗濯乾燥槽の外枠側面に遠赤外線テラヘルツ光波放射体を組込み、洗濯乾燥の主槽に遠赤外線テラヘルツ光波の放射体物性をトンネリンク方式で熱物性転移で、主槽の両側面から物性が正イオン熱放射され主槽内の電極層で、衣類に熱イオン交換反応と４０兆のテラヘルツ光波の振動波は水素や酸素の核外電子配置の電子数に解離イオン化作用で水素・酸素の核原子質量を振動条件で電子ボルト化させ存在を失わせて行き分解熱と併用で乾燥に導く。  即ち、同一の印加電気力で熱エネルギ−と４０兆振動波エネルギ−を、トンネリンク方式の物性転移で衣類乾燥を乾燥促進と消費電力量の省エネをする。【選択図】    図１
2006247301.tif 000002
【特許請求の範囲】
【請求項１】
遠赤外線放射体テラヘルツ発振装置を、電気洗濯乾燥機の洗濯乾燥槽の外側面に一定の距離を隔て設け、アルミニウム合金をアルマイト処理した洗濯乾燥槽に４０テラヘルツ光波の電気エネルギ−物性をトンネリンクさせ、洗濯乾燥の主槽内外に正電荷で振動合成熱を放射し、水成分の負電荷に電荷的作用と核外電子配置の電子数の電離イオン化とイオン交換反応で乾燥促進と消費電力の省エネをする。
【請求項２】
電気衣類洗濯乾燥の主槽は、遠赤外線テラヘルツ発振装置放射体エネルギ−をトンネリンクで授受したアルミニウム合金アルマイト処理槽の電極孔から、テラヘルツ光波を主槽の壁内と外側に正電荷で放射し、衣類乾燥と循環熱を放射させ主槽を衣類乾燥温度位置に上昇させる、同一印加電気熱エネルギ−でテラヘルツ光波の遠赤外線物性を倍加放射する衣類乾燥システムを構成する。
【請求項３】
洗濯乾燥槽の外側に放射する遠赤外線テラヘルツ光波放射体の振動合成熱は、風循環で洗濯乾燥の主槽内に吹出ができ衣類乾燥の短縮効果を更に促進し、主槽内外環境の単細胞菌類を殺菌する。
【請求項４】
遠赤外線テラヘルツ発振装置放射体の物性をトンネリンクする洗濯乾燥槽にアルマイト３０μ〜５０μ被覆処理するＪＩＳ６０６１アルミニウム合金主成分などに、化学含有成分は１５％中に珪素・マグネシウムの含有組成が顕著で、テラヘルツ光波の振動合成熱を確実に吸光授受し洗濯乾燥槽の内外に遠赤外線位相の放射合成熱を可能材料であること。
【発明の詳細な説明】
【発明の詳細な説明】
【０００１】  家庭用の電気洗濯乾燥機は、洗濯後の水分解乾燥時間が長時間で消費電力量が掛かるのが現状であるが、化学熱変換を水３６ｇに対し１３７キロカロリ−で水分解する熱常識に遠赤外線４０テラヘルツ光波エネルギ−を付加し水分解を促進させ乾燥する。
【産業上の利用分野】
【０００２】  家庭用の電気洗濯乾燥機などに遠赤外線テラヘルツ光波エネルギ−を、アルマイト処理した槽媒体に合成熱転写する技術は、他の電気器具などにも応用が可能で電気エネルギ−を倍加する遠赤外線放射体と洗濯乾燥主槽の相対構成である。
【背景技術】
【０００３】  電気洗濯乾燥機は電気エネルギ−が主で、洗濯乾燥機の全体改良構造と温風吹出し効果とステンレス材の洗濯乾燥槽の温度上昇を図り水分解し乾燥を促進している。
【発明が解決しようとする課題】
【０００４】  一般的に電気洗濯乾燥機は、洗濯槽と乾燥槽が同一で洗濯排水後に温風などで併用槽の温度を上昇などで乾燥に導くもので、吸熱効果がアルミニウム材に比べステンレス材は低く槽の衣類乾燥温度に到達点迄の温度上昇と経過時間で、乾燥効果と消費電力量を解決する課題がある。
【課題を解決するための手段】
【０００５】  洗濯乾燥槽の槽外に一定間隔の洗濯乾燥槽を中心とした外枠側面に遠赤外線放射体テラヘルツ光波発振装置を設け、振動合成熱を放射し被覆アルマイト槽に授受させ、洗濯乾燥槽の内側面と外側面から位相の物性を放射させ衣類乾燥の温度飽和点に上昇させ、外側面放射の合成熱を洗濯乾燥の主槽内に循環吹出しで温度維持し、テラヘルツ波は単細胞菌の殺菌と衣類の乾燥短縮効果と消費電力量の省エネを図ることができる。
【０００６】  遠赤外線テラヘルツ発振装置放射体を、電気洗濯乾燥槽の一定間隔の距離外枠側面に設け、電気洗濯乾燥槽をアルミ合金を被覆処理し電極孔から正電荷の振動合成熱を放射させる熱変換と、酸素族の核外電子配置の電子数を電離と、正電荷に因る酸素の負電荷を等しくさせるイオン的反応で主槽内の含有水を分解する。
【発明の作用】
【０００７】  遠赤外線光ので４０テラヘルツ波を放射する放射体を、電気洗濯乾燥の外枠側面に設けアルマイト被覆処理したアルミ合金の洗濯乾燥槽に向け放射し、洗濯乾燥槽がテラヘルツ波の位相エネルギ−を吸光授受し、吸光物性を槽内と槽外側面から振動波で放出し、槽内に放出された振動波は、酸素の核外電子配置の電子数の解離と、酸素粒子の負電荷は正電荷波を吸光させ、正と負の電荷を等しくしさせ中性電荷で水の存在を失わせる。
【０００８】  電気洗濯乾燥機は主洗濯乾燥槽と、其の乾燥効果を維持する外枠構造体の２槽と化粧枠からなり、化粧枠内の外側槽側面に遠赤外線放射体テラヘルツ波を設け、主な洗濯乾燥槽をアルミ合金をアルマイト処理で槽側表面の電極孔層に向け放射すると、テラヘルツ波位相のエネルギ−を吸光授受し、洗濯乾燥槽の両側に授受した位相のエネルギ−放出し乾燥短縮効果を表す。５０％と消使電力量は３０％以上を模擬実験では表現した。
【発明を実施するための最良の形態】
【０００９】  以下、この発明の実施例を図に基き説明する。
図１は、遠赤外線テラヘルツ光波放射体（Ａ）と、アルミ合金をアルマイト処理した洗濯乾燥槽（Ｂ）との位置関係を示す。【００１０】  図２は、この発明に係わる洗濯乾燥槽円形に則した凹形状し、物性トンネリンクが可能な遠赤外線テラヘルツ光波放射体の完成図で位相のエネルギ−を放射する。【００１１】  図３は、電気洗濯乾燥槽部のでアルミ合金をアルマイト処理し電極層を付加した断面図図２の遠赤外線放射体のテラヘルツ光波放射の位相エネルギ−をトンネリンク授受する槽で、主の洗濯乾燥槽が授受した位相のエネルギ−を槽側面の両側に放出する物性をもつ。【００１２】  図４は、図１の遠赤外線テラヘルツ光波の放射体を槽部の外枠側面に設け、図２のアルミ合金をアルマイト処理し電極層を付加した洗濯乾燥槽とトンネリンク方式の相対位置関係を示す。【００１３】  図５は、図２遠赤外線放射体を主槽の外枠側面に固定する支持取付座であるが、外枠側面体に図２を組込み加工も可能である。
【発明の効果】
【００１４】  遠赤外線テラヘルツ光波放射体図１と、アルミ合金のアルマイト処理で電極層を付加した主槽図２に衣類を投入状態で、トンネリンク方式の乾燥効果を実験確認すると、市販の電気洗濯乾燥機の乾燥時間と消費電力量の実証例に比べると、乾燥時間と消費電量の乾燥時間短縮と省エネが大幅に確認された。
【発明の用途】
【００１５】  電気洗濯乾燥機の縦・横・斜め形態や遠赤外線放射体テラヘルツ波の位相エネルギ−を応用する電気製品類および乾燥などの目的装置。
【００１６】  同一の消費電力量で遠赤外線テラヘルツ光波放射が付加で、２ツのエネルギ−の応用が可能になる製品群。
【図面の簡単な説明】
【００１７】
【図１】遠赤外線テラヘルツ光波放射体とアルミ合金アルマイト槽への遠赤外線位相物性のトンネリンク（１−ａ）（１−ｂ）位置関係を示す略図である。
【図２】遠赤外線テラヘルツ光波放射体の凹形の平面図・側面図・裏面図である。
【図３】遠赤外線放射体（１−ａ）を洗濯乾燥の主槽（１−ｂ）に固定のため凹形放射体を取付座に固定した図である。
【図４】電気洗濯乾燥機の洗濯乾燥主槽の外枠側面に組込固定し物性トンネリンクが出来る状態図を示す。
【図５】遠赤外線テラヘルツ光波放射体を主槽の外枠側面に組込む取付座を示す。
【図６】遠赤外線テラヘルツ光波放射体の神奈川県産業総合研究所の分析試験等成績書を示す。
【図７】大腸菌を殺菌した東京都立衛生試験所の試験検査成績書である。
【図８】緑のう菌を殺菌した東京都立衛生試験所の試験検査成績書である。
【符号の説明】
【００１８】  １      テラヘルツ光波の物性が媒体にトンネリンクする形態
１−ａ  遠赤外線テラヘルツ光波放射体
１−ｂ  トンネリンク媒体のアルミニウム合金アルマイト処理の槽
２      遠赤外線放射体平面図
３      遠赤外線放射体側面図
４      凹形の遠赤外線放射体矢視面図
５      遠赤外線放射体裏面図
６      取付け調整ボルト
７      遠赤外線テラヘルツ光波放射体
８      主槽の外枠側面取付け座
９      電機洗濯乾燥の主槽および外枠など全体の側面図
１０      主槽へトンネリンク方式の外枠
１１      遠赤外線テラヘルツ光波放射体
１２      洗濯乾燥槽の脱排水孔
１３      外枠側面固定の取付け座
１４      外枠固定取付け調整ボルト孔
【図１】
2006247301.tif 000003
【図２】
2006247301.tif 000004
【図３】
2006247301.tif 000005
【図４】
2006247301.tif 000006
【図５】
2006247301.tif 000007
【図６】
2006247301.tif 000008
【図７】
2006247301.tif 000009
【図８】
2006247301.tif 000010